(57)【要約】      （修正有）【課題】生産性やデザイン性に優れ、使用時に心地の良い座布団等の敷き具を提供する。【解決手段】第一の正方形部分１６１，１８１と、同一形状の第二の正方形部分１２２，１４２，１６２，１８２とが、互いの一辺を介して連続した矩形の４枚の生地片１２，１４，１６，１８を備える。４枚の生地片１２，１４，１６，１８は、各々第一の正方形部分の短辺が互いに異なる生地片の長辺であって生地の第一の正方形部分の一方の辺に各々縫い合わせられる。第二の正方形部分の短辺は、第一の正方形部分の短辺が縫い合わせられた生地片１２，１４，１６，１８とは異なる生地片１２，１４，１６，１８の長辺であって、他の生地片の短辺が縫い合わせられていない長辺の第二の正方形部分の一方の辺に各々縫い合わせられる。さらに、対向する各辺が縫い合わせられて、４枚の生地片１２，１４，１６，１８で形成された八面体状の閉空間内に、粒状の内容物が収容される。【選択図】図１
0003149112.tif 000002
【実用新案登録請求の範囲】
【請求項１】
第一の正方形部分と、前記第一の正方形部分と同一形状の第二の正方形部分とが、互いの一辺を介して連続した矩形の生地片４枚を備え、
前記４枚の生地片は各々、前記第一の正方形部分の短辺が、互いに異なる生地片の長辺であって前記生地片の第一の正方形部分の一方の辺に各々縫い合わせられ、
さらに前記４枚の生地片は各々、前記第二の正方形部分の短辺が、前記第一の正方形部分の短辺が縫い合わせられた前記生地片とは異なる生地片の長辺であって、他の前記生地片の短辺が縫い合わせられていない長辺の第二の正方形部分の一方の辺に各々縫い合わせられ、
さらに前記４枚の生地片は各々、互いに異なる生地片の長辺であって、前記第一又は第二の正方形部分の短辺が縫い合わされていない対向する辺同士が各々縫い合わされ、
上記状態で前記４枚の生地片は、前記８つの正方形部分を一つの面とした八面体状の閉空間を形成し、その内側に粒状の内容物が収容されて成ることを特徴とする座布団等の敷き具。
【請求項２】
縫い合わせられた状態で、前記４枚の生地片の外側面の模様又は色彩は、隣接する前記生地片の模様又は色彩と互いに異なることを特徴とする請求項１記載の座布団等の敷き具。
【請求項３】
前記内容物は、粒径４〜５ｍｍの樹脂製粒状体の集合物であることを特徴とする請求項１記載の座布団等の敷き具。
【考案の詳細な説明】
【技術分野】
【０００１】
この考案は、枕、座布団等として使用することができる敷き具に関する。
【背景技術】
【０００２】
枕や座布団等の敷き具は、使用者に心地良さを感じさせるため、適度な硬さ、保温性、保湿性等が求められる。例えば、枕や座布団の保持面は、柔ら過ぎると身体が深く沈んで安定せず、また、身体との接触面積が大きくなるため、その状態が長時間続くと不快に感じる場合がある。反対に硬すぎると、座面が使用者の体形に合った形状に変形せず、これもまた座り心地が悪い。また、例えば、枕に頭寒の効果が求められるように、熱がこもらず、汗が放湿しやすく通気性がよい物が快適である。また、デザイン性に優れた物が好まれることは言うまでもない。
【特許文献１】特開２００２−５８５７９号公報
【考案の開示】
【考案が解決しようとする課題】
【０００３】
本考案は、上記背景技術に鑑みて成されたもので、生産性やデザイン性に優れ、使用時に心地の良い座布団等の敷き具を提供することを目的とする。
【課題を解決するための手段】
【０００４】
本考案は、第一の正方形部分と、前記第一の正方形部分と同一形状の第二の正方形部分とが、互いの一辺を介して連続した矩形の生地片４枚を備え、前記４枚の生地片は各々、前記第一の正方形部分の短辺が、互いに異なる生地片の長辺であって前記生地の第一の正方形部分の一方の辺に各々縫い合わせられ、さらに前記４枚の生地片は各々、前記第二の正方形部分の短辺は、前記第一の正方形部分の短辺が縫い合わせられた前記生地片とは異なる生地片の長辺であって、他の前記生地片の短辺が縫い合わせられていない長辺の第二の正方形部分の一方の辺に各々縫い合わせられ、さらに前記４枚の生地片は各々、互いに異なる生地片の長辺であって、前記第一又は第二の正方形部分の短辺が縫い合わされていない対向する辺同士が各々縫い合わされ、上記状態で前記４枚の生地片は、前記８つの正方形部分を一つの面とした八面体状の閉空間を形成し、その内側に粒状の内容物が収容されて成る座布団等の敷き具である。
【０００５】
また、縫い合わせられた状態で、前記４枚の生地片の外側面の模様又は色彩は、隣接する前記生地片の模様又は色彩と互いに異なるものであることが好ましい。
【０００６】
さらに、前記内容物は、粒径４〜５ｍｍの樹脂製の粒状体の集合物であることが好ましい。
【考案の効果】
【０００７】
本考案の座布団等の敷き具は、内部に粒状の内容物が収容されているため、適度な軟らかさや流動性をもって保持面が変形し、身体の形状に合った保持面を形成することができる。そして、粒状の内容物の流動が止まれば、保持面が、各粒状物の界面の摩擦力の作用によって適度な硬さに固定されるので、身体が安定に支持され心地が良い。
【０００８】
また、４枚の矩形の生地片は、全て同一外形であるため、大きな生地から効率よく切り出すことができ、ほとんど材料に無駄が生じない。また、縫製作業も所定の手順を設定すれば、容易に行うことができる。
【０００９】
また、縫い合わせられた状態で、４枚の生地片を、隣接する他の前記生地片と外側面の模様を互いに異なるよう配置すれば、デザイン性が一層高められ、部屋のインテリア用品としても使用できる。
【００１０】
さらに、内容物を、粒径４〜５ｍｍの樹脂製の粒状体の集合物とすれば、通気性を一層向上させることができる。また、生地片の選択によっては、敷き具をそのまま丸洗い・乾燥させることもでき、衛生の面においても使い勝手のよい敷き具を提供することができる。
【考案を実施するための最良の形態】
【００１１】
以下、この考案の一実施形態の敷き具１０について、図１、図２に基づいて説明する。敷き具１０は、図１に示すように、同一外形の矩形の生地片１２，１４，１６，１８の外周の各辺を縫い合わせることによって外装体を形成し、内部の閉空間に粒状の内容物２０が収容された構造を備えている。そして、４枚の生地片の角部が集中した中心Ｐ１，Ｐ２に装飾用の飾り房２２が取り付けられている。
【００１２】
生地片１２は、全体に柔らかい素材で、特に縫い合わせられた状態で外側に配置される面は比較的肌触りの良いことが望ましく、例えば、ポリエステルやポリエステルと絹が交織された繊維が適している。外形は、図２に示すように、互いに等しい形状の第一の正方形部分１２１と第二の正方形部分１２２とが、互いの一辺を介して連続して形成され、短辺と長辺が１：２に形成された矩形である。
【００１３】
他の生地片１４，１６，１８も生地片１２と等しい矩形の外形を備え、第一の正方形部分１４１，１６１，１８１と、第二の正方形部分１４２，１６２，１８２とを各々有している。また、縫い合わせられた状態で外側に配置される面の絵柄は、生地片１２，１６が等しく白の無地であり、生地片１４，１８が等しく白地に格子模様が施されている。
【００１４】
内容物２０は、粒状物の集合体であり、例えば平均直径が４．５ｍｍ程度のポリプロピレン製の球体や柱状体等の粒状体の集合物であることが好ましい。
【００１５】
次に、敷き具１０の組み立て方法について、図２に基づいて説明する。ここで、説明の便宜のため、生地片１２，１４，１６，１８が有する一対の短辺を、それぞれ辺１２Ｍと１２Ｃ、辺１４Ａと辺１４Ｊ、辺１６Ｇと辺１６Ｆ、辺１８Ｄと辺１８Ｋ、と称する。
【００１６】
また、生地片１２の一対の長辺の一部であって、第一の正方形部分１２１が有する一対の側辺を、辺１２Ａと辺１２Ｌ、と称する。さらに、辺１２Ａ及び辺１２Ｌから連続する第二の正方形部分１２２の一対の側辺を、それぞれ辺１２Ｂと辺１２Ｋ、と称する。
【００１７】
また、生地片１４の一対の長辺の一部であって、第一の正方形部分１４１が有する一対の側辺を、辺１４Ｇと辺１４Ｂ、と称する。さらに、辺１４Ｇ及び辺１４Ｂから連続する第二の正方形部分１４２の一対の側辺を、それぞれ辺１４Ｈと辺１４Ｃ、と称する。
【００１８】
また、生地片１６の一対の長辺の一部であって、第一の正方形部分１６１が有する一対の側辺を、辺１６Ｄと辺１６Ｈ、と称する。さらに、辺１６Ｄ及び辺１６Ｈから連続する第二の正方形部分１６２の一対の側辺を、それぞれ辺１６Ｅと辺１６Ｊ、と称する。
【００１９】
さらに、生地片１８の一対の長辺の一部であって、第一の正方形部分１８１が有する一対の側辺を、辺１８Ｍと辺１８Ｅ、と称する。さらに、辺１８Ｍ及び辺１８Ｅから連続する第二の正方形部分１８２の一対の側辺を、それぞれ辺１８Ｌと辺１８Ｆ、と称する。
【００２０】
縫製作業は、まず、生地片１２，１４の対応する辺同士を互いに縫い合わせる。縫い合わせは、辺１２Ａと辺１４Ａ、辺１２Ｂと辺１４Ｂ、辺１２Ｃと辺１４Ｃ、の順番が好ましい。次に、生地片１６，１８の対応する辺同士を互いに縫い合わせる。縫い合わせは、上記と同様に、辺１６Ｄと辺１８Ｄ、辺１６Ｅと辺１８Ｅ、辺１６Ｆと辺１８Ｆ、の順番が好ましい。次に、生地片１４，１６の対応する辺同士を互いに縫い合わせる。縫い合わせは、辺１４Ｇと辺１６Ｇ、辺１４Ｈと辺１６Ｈ、辺１４Ｊと辺１６Ｊ、の順番が好ましい。次に、生地片１２，１８の対応する辺同士を互いに縫い合わせる。縫い合わせは、辺１２Ｋと辺１８Ｋ、辺１２Ｌと辺１８Ｌ、辺１２Ｍと辺１８Ｍ、の順番が好ましい。以上の手順で４枚の生地片１２，１４，１６，１８の各辺を縫い合わせることによって、４枚の生地片に囲まれて成る八面体状の外装体が形成される。
【００２１】
なお、内容物２０は、最後の辺１２Ｍと辺１８Ｍとの縫い合わせの前又はその途中の段階で、その開口部から内部に投入される。内容物２０の投入量は、敷き具１０の用途によって調整され、例えば、敷き具１０が座布団として使用される場合は、外形が扁平になるように投入量を少なめに、肘当てや背もたれとして使用される場合は、外形が立体的に膨らむように投入量を多めに設定される。ここでは、図１に示すように、投入量が比較的多めに設定され、丸く膨らんだ形状をなしている。そして、内容物２０が投入されると、最後の辺１２Ｍと辺１８Ｍを縫い合わせ、内容物２０が流出しないように外装体が閉じられる。
【００２２】
そして、４枚の生地片１２，１４，１６，１８の角部が集中した中心Ｐ１，Ｐ２に装飾用の飾り房２２が取り付けられて完成する。
【００２３】
以上説明した敷き具１０によれば、内容物２０として粒径４．５ｍｍ程度のポリプロピレン製の樹脂製の球体等から成る粒状体の集合物が収容されているため、適度な軟らかさや流動性をもって保持面が変形し、使用者の身体の形状に合った保持面を形成することができる。そして、粒状体の流動が止まれば、保持面が、粒状体の界面の摩擦力の作用によって適度な硬さに固定されるので、身体が安定に支持され心地が良い。また、粒状体同士の接触境界部分に適度な空間が生じるので、通気性がよく蒸れにくい。また、生地片１２，１４，１６，１８はポリエステル製のため、内容物２０を入れたまま敷き具１０を丸洗い・乾燥させることも可能であり、衛生の面においても使い勝手がよい。
【００２４】
また、４枚の生地片１２，１４，１６，１８は、全て同一外形であるため、大きな生地から効率よく切り出すことができ、ほとんど材料の無駄が生じない。また、縫製作業も所定の手順に従って容易に行うことができる。
【００２５】
なお、この考案の座布団等の敷き具は上記実施形態に限定されるものではなく、縫い合わせられる前の４枚の生地片１２，１４，１６，１８は、縦横比が１：２の厳密な矩形である必要はなく、例えば、縫い合わせの手法に応じて、矩形の外周縁に所定の縫い代を延設する等は自由である。
【００２６】
また、敷き具１０は、大きさを変更することによって様々な用途に使用することができる。例えば、掌に載る程度の大きさに構成すれば小型の置物の敷き具として、また、敷き具自体をテーブル上に置くインテリア用品として使用し、そのユニークな形状や模様を楽しむことも可能である。
【００２７】
また、上述した縫製作業の手順は一例に過ぎず、敷き具の大きさ、生地片の素材、手縫いか機械縫いか、等の条件に鑑みて適宜変更することができる。
【００２８】
さらに、縫い合わせられた状態で隣接する４枚の生地片において、その外側面の模様又は色彩を異なるものにする場合、同一の模様又は色彩を有する生地片を２枚ずつ使用することは勿論のこと、例えば、全て異なる模様又は色彩を有する生地片を４枚使用してもよい。
【図面の簡単な説明】
【００２９】
【図１】この考案の敷き具の一実施形態を示す斜視図である。
【図２】この実施形態の４枚の生地片の形態と縫製作業の手順を説明する模式図である。
【符号の説明】
【００３０】
１０  敷き具
１２，１４，１６，１８  生地片
１２１，１４１，１６１，１８１  第一の正方形部分
１２２，１４２，１６２，１８２  第二の正方形部分
２０  内容物
２２  飾り房
Ｐ１，Ｐ２  中心
【図１】
0003149112.tif 000003
【図２】
0003149112.tif 000004